(57)【要約】【課題】硬貨の滞留に因る繰出動作の停滞を低コストで防止することができる硬貨繰出装置を提供する。【解決手段】括して投入される１枚以上の硬貨を１枚ずつ分離して繰り出す硬貨繰出装置であって、円筒状を呈し、上部に硬貨投入口を備え、硬貨投入口から一括して投入される１枚以上の硬貨を一時的に収容する円筒容器１０と、円板状を呈し、上板面２１上の硬貨を回転によって発生する遠心力によって筒壁部１３に向けて付勢する回転台２０と、回転台２０から付勢されて来る伏せた状態の硬貨を１枚ずつ通過可能に筒壁部１３に１箇所設けられた硬貨繰出口１３１とを有し、回転台２０の上板面２１は、回転台２０の回転軸Ｘ２０から半径方向外側に向かうにつれて下降するように傾斜している硬貨繰出装置。【選択図】図１
2019159763.tif 000002
【特許請求の範囲】
【請求項１】
一括して投入される１枚以上の硬貨を１枚ずつ分離して繰り出す硬貨繰出装置であって、
底部、上部および筒壁部を備える円筒状を呈し、該上部に硬貨投入口を備え、該硬貨投入口から一括して投入される１枚以上の硬貨を一時的に収容する円筒容器と、
上板面を備える円板状を呈し、前記円筒容器の中心軸と同心の回転軸の周りを回転可能に前記筒壁部内かつ前記底部上に設けられ、該上板面上の硬貨を回転によって発生する遠心力によって前記筒壁部に向けて付勢する回転台と、
前記回転台から付勢されて来る伏せた状態の硬貨を１枚ずつ通過可能に前記筒壁部に１箇所設けられた硬貨繰出口と、を有し、
前記回転台の前記上板面は、該回転台の前記回転軸から半径方向外側に向かうにつれて下降するように傾斜している硬貨繰出装置。
【請求項２】
前記上板面の水平面に対する傾斜角は、５〜３０度の範囲にある請求項１に記載の硬貨繰出装置。
【請求項３】
前記上板面の水平面に対する傾斜角は、８〜２０度の範囲にある請求項２に記載の硬貨繰出装置。
【請求項４】
前記上板面の水平面に対する傾斜角は、１０度である請求項３に記載の硬貨繰出装置。
【請求項５】
前記硬貨繰出口は、前記円筒容器の半径方向外側に向かうにつれて下降するように傾斜している請求項１〜４のいずれか一項に記載の硬貨繰出装置。
【請求項６】
前記硬貨繰出口の傾斜角は、前記回転台の前記上板面の傾斜角と同じである請求項５に記載の硬貨繰出装置。
【請求項７】
前記回転台から付勢されて来る異物を通過可能に前記筒壁部に設けられた異物排出口をさらに有する請求項１〜６のいずれか一項に記載の硬貨繰出装置。
【請求項８】
前記異物排出口は、前記円筒容器の半径方向外側に向かうにつれて下降するように傾斜している請求項７に記載の硬貨繰出装置。
【請求項９】
前記異物排出口の傾斜角は、前記回転台の前記上板面の傾斜角と同じである請求項８に記載の硬貨繰出装置。
【請求項１０】
請求項１〜９のいずれか一項に記載の硬貨繰出装置を有する電子機器。
【発明の詳細な説明】
【技術分野】
【０００１】
本発明は、硬貨繰出装置に関する。
【背景技術】
【０００２】
ＰＯＳ（Point Of Sales）端末装置、自動販売機、ＡＴＭ（Automated Teller Machine）等の金銭を取り扱う電子機器には、硬貨繰出装置が内蔵されることがある。
【０００３】
硬貨繰出装置は、金種が混合した状態で一括して投入される１枚以上の硬貨を１枚ずつ分離して繰り出す装置である。硬貨繰出装置から繰り出された硬貨は、ＰＯＳ端末装置等の電子機器内において、真偽と金種が判別された後、金種ごとに収納するなどの処理がなされる。
【０００４】
硬貨繰出装置の硬貨を１枚ずつ繰り出す手段としては、ホッパを有する手段やベルトを有する手段の他、円板状の回転台が発生する遠心力を利用する手段がある。円板状の回転台が発生する遠心力を利用する硬貨繰出装置は、例えば、特許文献１〜４に開示されている。尚、特許文献１に開示された硬貨繰出装置は、１枚ずつの硬貨の繰出方向が縦向きである。そのため、繰出方向に対応して硬貨を縦向きに起立させるべく、回転台の表面が円錐表面となっている。
【先行技術文献】
【特許文献】
【０００５】
【特許文献１】特開２０１６−１１５２６７号公報
【特許文献２】特開２０１６−１１０３０７号公報
【特許文献３】特開２０１３−０６１８２０号公報
【特許文献４】特許第４８７７２７５号公報
【発明の概要】
【発明が解決しようとする課題】
【０００６】
ところで、回転台が発生する遠心力を利用する硬貨繰出装置は、一括して投入される硬貨の量が大量であるときなどに、一時的または長期的に、これら硬貨が回転台上に滞留し、硬貨の繰出動作が停滞する可能性がある。これは、投入されて回転台上において積み重なった状態の大量の硬貨は、各硬貨間の摩擦力や、積み重なった一塊の硬貨と回転台との間の摩擦力が大きい。それら摩擦力が回転台が発生する遠心力に基づく硬貨の繰出力よりも大きい場合には、硬貨が回転台上に滞留し、硬貨の繰出動作が停滞することになる。さらに、回転台上で滞留した硬貨の中には、起立した状態の硬貨も有り得る。起立した硬貨は、伏した状態の硬貨を１枚ずつ通過可能に形成されている硬貨繰出口に支えたり、硬貨繰出口を塞いでしまう。
【０００７】
このような硬貨の滞留による繰出動作の停滞を防ぐ策として、例えば、一括して投入可能な限度枚数を投入者に対して注意喚起するラベルを、硬貨の投入口付近に設ける策がある。しかし、投入者が注意喚起通りに限度枚数を守ることや、硬貨の投入枚数を数えることは、必ずしも期待できることではない。
【０００８】
また、遠心力に基づく硬貨の繰出力を増大すべく、回転台の回転数をより高くする策が考えられる。しかし、この対策を実現するためには回転台の駆動源として、より高性能の電気モータを用いる必要があり、硬貨繰出装置のコスト上昇や消費電力の増大をもたらす。また、騒音が増大する可能性もある。
【０００９】
それ故、本発明の目的は、硬貨の滞留に因る繰出動作の停滞を低コストで防止することができる硬貨繰出装置を提供することである。
【００１０】
本発明の他の目的は、上記のような硬貨繰出装置を有する電子機器を提供することである。
【課題を解決するための手段】
【００１１】
本発明によれば、一括して投入される１枚以上の硬貨を１枚ずつ分離して繰り出す硬貨繰出装置であって、底部、上部および筒壁部を備える円筒状を呈し、該上部に硬貨投入口を備え、該硬貨投入口から一括して投入される１枚以上の硬貨を一時的に収容する円筒容器と、上板面を備える円板状を呈し、前記円筒容器の中心軸と同心の回転軸の周りを回転可能に前記筒壁部内かつ前記底部上に設けられ、該上板面上の硬貨を回転によって発生する遠心力によって前記筒壁部に向けて付勢する回転台と、前記回転台から付勢されて来る伏せた状態の硬貨を１枚ずつ通過可能に前記筒壁部に１箇所設けられた硬貨繰出口と、を有し、前記回転台の前記上板面は、該回転台の前記回転軸から半径方向外側に向かうにつれて下降するように傾斜している硬貨繰出装置が得られる。
【００１２】
本発明によればまた、前記硬貨繰出装置を有する電子機器が得られる。
【発明の効果】
【００１３】
本発明による硬貨繰出装置は、硬貨の滞留に因る繰出動作の停滞を低コストで防止することができる。
【図面の簡単な説明】
【００１４】
【図１】本発明の実施形態による硬貨繰出装置の要部の断面図である。
【図２】本発明の比較例による硬貨繰出装置の要部の断面図である。
【発明を実施するための形態】
【００１５】
以下、図面を参照して、本発明による硬貨繰出装置の実施形態を説明する。
【００１６】
実施形態において、硬貨繰出装置は、ＰＯＳ端末装置、特に、精算装置に内蔵されるものを例に挙げている。尚、図中、ＰＯＳ端末装置（精算装置）の硬貨繰出装置以外の構成については、図示を省略している。また、硬貨繰出装置についても、その全ての構成要素を図示してはおらず、本発明に関係する部位のみを図示しており、その他の部位については、図示を省略している。
【００１７】
各図中、符号Ｗは硬貨繰出装置の幅方向を示し、符号Ｈは硬貨繰出装置の高さ方向を示し、符号Ｄは硬貨繰出装置の奥行方向を示している。尚、後述する円筒容器の中心軸の延在方向ならびに回転台の回転軸の延在方向は、硬貨繰出装置の高さ方向Ｈと平行である。
【００１８】
まずはじめに、本発明の理解の助けとして、比較例による硬貨繰出装置について説明する。
【００１９】
図２を参照すると、比較例による硬貨繰出装置は、底部１１、上部１２および筒壁部１３を備える円筒状を呈し、上部１２に硬貨投入口を備え、硬貨投入口から一括して投入される１枚以上の硬貨を一時的に収容する円筒容器１０と、上板面７１を備える円板状を呈し、円筒容器１０の中心軸Ｘ１０と同心の回転軸Ｘ７０の周りを回転可能に筒壁部１０内かつ底部１１上に設けられ、上板面７１上の硬貨Ｍを回転によって発生する遠心力によって筒壁部１３に向けて付勢する回転台７０と、回転台７０から付勢されて来る複数の硬貨Ｍのうち、伏せた状態の硬貨を１枚ずつ通過可能に筒壁部１３に１箇所設けられた硬貨繰出口１３１とを有している。
【００２０】
比較例による硬貨繰出装置は、一括して投入される硬貨Ｍの量が大量であるときなどに、一時的または長期的に、これら硬貨Ｍが回転台７０上に滞留し、硬貨の繰出動作が停滞する可能性がある。これは、投入されて回転台７０上において積み重なった状態の大量の硬貨Ｍは、各硬貨間の摩擦力や、積み重なった一塊の硬貨と回転台７０との間の摩擦力が大きい。それら摩擦力が回転台７０が発生する遠心力に基づく硬貨の繰出力よりも大きい場合には、硬貨Ｍが回転台上に滞留し、硬貨Ｍの繰出動作が停滞することになる。さらに、回転台７０上で滞留した硬貨Ｍの中には、起立した状態の硬貨も有り得る（図示せず）。起立した硬貨は、伏した状態の硬貨を１枚ずつ通過可能に形成されている硬貨繰出口１３１に支えたり、硬貨繰出口１３１を塞いでしまう。
【００２１】
次に、本発明の実施形態による硬貨繰出装置について説明する。
【００２２】
図１を参照すると、本発明の実施形態による硬貨繰出装置は、比較例による硬貨繰出装置と同様に、円筒容器１０と、回転台２０と、硬貨繰出口１３１と、異物排出口１３６とを有している。
【００２３】
円筒容器１０は、底部１１、上部１２および筒壁部１３を備える円筒状を呈し、上部１２に硬貨投入口を備え、硬貨投入口から一括して投入される１枚以上の硬貨を一時的に収容する。
【００２４】
回転台２０は、円筒容器１０と、上板面２１を備える円板状を呈している。回転台２０は、円筒容器１０の中心軸Ｘ１０と同心の回転軸Ｘ２０の周りを回転可能に筒壁部１０内かつ底部１１上に設けられている。回転台２０は、駆動源としての図示しない電気モータによって駆動される。その電気モータの回転数や発生トルク、消費電力等は、比較例の回転台７０（図１）駆動用の電気モータと同じでよい。上板面２１上の硬貨Ｍは、回転台２０の回転によって発生する遠心力により、筒壁部１３の内側面に向けて付勢される。
【００２５】
さて、本実施形態において、回転台の上板面２１は、回転台の回転軸Ｘ２０から半径方向外側に向かうにつれて下降するように傾斜している。
【００２６】
このように構成することで、回転台２０の遠心力に基づく硬貨の繰出力に対して硬貨Ｍの自重に基づく繰出方向の力が加わることになる。換言すれば、硬貨の繰出力が増大されることになる。増大した硬貨の繰出力は、上板面２１上の各硬貨間の摩擦力や、積み重なった一塊の硬貨と回転台７０との間の摩擦力よりも小さい確率が比較例よりも少なく、硬貨の上板面２１上での滞留する可能性は減少する。
【００２７】
本実施形態において、幅方向Ｗおよび奥行方向Ｄに平行な水平面に対する上板面２１の傾斜角は、１０度である。本発明において、上板面２１の傾斜角は、１０度に限定されるものではなく、好ましくは５〜３０度の範囲にあり、より好ましくは８〜２０度の範囲にある。尚、上板面２１の傾斜角が５度よりも小さいと、硬貨の繰出力に加わる硬貨の自重に基づく力が不十分であると考えられる。一方、上板面２１の傾斜角が３０度よりも大きいと、回転台２０によって付勢された硬貨が起立してしまう可能性が高くなると考えられる。
【００２８】
硬貨繰出口１３１は、回転台２０から付勢されて来る複数の硬貨Ｍのうち、伏せた状態の硬貨を１枚ずつ通過可能に筒壁部１３に１箇所設けられている。硬貨繰出口１３１は、円筒容器の中心軸から半径方向外側に向かうにつれて下降するように傾斜している。硬貨繰出口１３１の傾斜角は、回転台の上板面の傾斜角と同じである。
【００２９】
異物排出口１３６は、回転台２０から付勢されて来る１枚の硬貨よりも小さい異物を通過可能に筒壁部１３に複数箇所設けられている（図１においては、１箇所のみ図示）。異物排出口１３６も、円筒容器１０の中心軸Ｘ１０から半径方向外側に向かうにつれて下降するように傾斜している。異物排出口１３６の傾斜角も、回転台２０の上板面２１の傾斜角と同じである。
【００３０】
尚、異物は、円筒容器１０の上部１２の硬貨投入口から侵入したものである。図示はしないが、複数の異物排出口は、ＰＯＳ端末装置の内部かつ円筒容器１０の外部において、１箇所に合流しており、合流箇所に集積するように構成されている。集積した異物は、ＰＯＳ端末装置を保守する者等により、定期的に廃棄される。
【００３１】
本発明による硬貨繰出装置は、ＰＯＳ端末装置に限らず、自動販売機、ＡＴＭ等の金銭を取り扱う電子機器に適用可能である。
【符号の説明】
【００３２】
１０    円筒容器
１１    下部
１２    上部
１３    筒壁部
１３１  硬貨繰出口
１３６  異物排出口
２０、７０    回転台
２１、７１    上板面
Ｍ    硬貨
Ｘ１０  中心軸
Ｘ２０、Ｘ７０  回転軸
【図１】
2019159763.tif 000003
【図２】
2019159763.tif 000004